(57)【特許請求の範囲】
【請求項１】
基地局として機能する無線装置と信号処理装置とを備える無線通信システムであって、
前記無線装置は、
端末装置から送信された無線信号に基づいて、前記無線装置と前記端末装置との間における無線伝送路のチャネル情報を推定するチャネル推定部と、
前記チャネル推定部により推定された前記チャネル情報に基づいて、前記無線信号に対して軟判定復調を行う復調部と、
前記軟判定復調により得られた対数尤度比を復号し、前記復号により得られる誤り検出符号の結果を出力する復号部と、
前記誤り検出符号の結果に基づいて、前記復号により得られるデータの前記信号処理装置への送信を制御する送信制御部と、
を備え、
前記信号処理装置は、前記無線装置から送信された前記データを受信し、受信した前記データの数が１つである場合には前記データを選択し、受信した前記データの数が複数である場合には所定の条件に従って複数のデータの中から１つのデータを選択する選択合成部を備える無線通信システム。
【請求項２】
基地局として機能する無線装置と信号処理装置とを備える無線通信システムであって、
前記無線装置は、
端末装置から送信された無線信号に基づいて、前記無線装置と前記端末装置との間における無線伝送路のチャネル情報を推定するチャネル推定部と、
前記チャネル推定部により推定された前記チャネル情報に基づいて、前記無線信号に対して軟判定復調を行う復調部と、
前記軟判定復調により得られた対数尤度比を復号し、前記復号により得られる誤り検出符号の結果を出力する復号部と、
前記誤り検出符号の結果に基づいて、前記復号により得られるデータの前記信号処理装置への送信を制御する送信制御部と、
を備え、
前記送信制御部は、前記誤り検出符号の結果が誤りありを示す場合、前記データを前記信号処理装置に送信せずに破棄するとともに、前記信号処理装置に対して前記データを送信しないことを前記信号処理装置に通知する無線通信システム。
【請求項３】
前記送信制御部は、前記誤り検出符号の結果が誤りありを示す場合、前記データを前記信号処理装置に送信せずに破棄し、前記誤り検出符号の結果が誤りなしを示す場合、前記データを前記信号処理装置に送信する、請求項１又は２に記載の無線通信システム。
【請求項４】
前記選択合成部は、受信した前記データの数が複数である場合、最も早く受信したデータを選択し、その他のデータを破棄する、請求項１に記載の無線通信システム。
【請求項５】
基地局として機能する無線装置と信号処理装置とを備える無線通信システムにおける無線通信方法であって、
前記無線装置が、端末装置から送信された無線信号に基づいて、前記無線装置と前記端末装置との間における無線伝送路のチャネル情報を推定するチャネル推定ステップと、
前記無線装置が、前記チャネル推定ステップにおいて推定された前記チャネル情報に基づいて、前記無線信号に対して軟判定復調を行う復調ステップと、
前記無線装置が、前記軟判定復調により得られた対数尤度比を復号し、前記復号により得られる誤り検出符号の結果を出力する復号ステップと、
前記無線装置が、前記誤り検出符号の結果に基づいて、前記復号により得られるデータの前記信号処理装置への送信を制御する送信制御ステップと、
を有し、
前記信号処理装置が、前記無線装置から送信された前記データを受信し、受信した前記データの数が１つである場合には前記データを選択し、受信した前記データの数が複数である場合には所定の条件に従って複数のデータの中から１つのデータを選択する選択合成ステップを有する無線通信方法。
【請求項６】
基地局として機能する無線装置と信号処理装置とを備える無線通信システムにおける無線通信方法であって、
前記無線装置が、端末装置から送信された無線信号に基づいて、前記無線装置と前記端末装置との間における無線伝送路のチャネル情報を推定するチャネル推定ステップと、
前記無線装置が、前記チャネル推定ステップにおいて推定された前記チャネル情報に基づいて、前記無線信号に対して軟判定復調を行う復調ステップと、
前記無線装置が、前記軟判定復調により得られた対数尤度比を復号し、前記復号により得られる誤り検出符号の結果を出力する復号ステップと、
前記無線装置が、前記誤り検出符号の結果に基づいて、前記復号により得られるデータの前記信号処理装置への送信を制御する送信制御ステップと、
を有し、
前記送信制御ステップにおいて、前記誤り検出符号の結果が誤りありを示す場合、前記データを前記信号処理装置に送信せずに破棄するとともに、前記信号処理装置に対して前記データを送信しないことを前記信号処理装置に通知する無線通信方法。
【発明の詳細な説明】
【技術分野】
【０００１】
本発明は、無線通信システム及び無線通信方法に関する。
本願は、２０１６年１１月１１日に日本へ出願された特願２０１６−２２０５１６号に基づき優先権を主張し、その内容をここに援用する。
【背景技術】
【０００２】
従来、無線通信システム、特に移動体通信システムにおいて、基地局設置の柔軟性を高めるため、基地局が有する機能をＢＢＵ（Base Band Unit）とＲＲＨ（Remote Radio Head）との２つの装置に分担させ、ＢＢＵとＲＲＨとを物理的に離れた構成とすることが検討されている。ＢＢＵとＲＲＨとにおける機能分割方式の一形態として、図５に示すように、ＭＡＣ（Media Access Control）層以上の機能をＢＢＵが行い、物理層の機能をＲＲＨが行う機能分割方式が検討されている（例えば、非特許文献１参照）。この機能分割方式は、ＭＡＣ−ＰＨＹ  ｓｐｌｉｔ方式あるいはＬ２  Ｃ−ＲＡＮ（Layer 2 Centralized / Cloud - Radio Access Network）方式と呼ばれる。【０００３】
また、移動通信システムにおいて、１つのＲＲＨがカバーするエリアをセルと呼び、一般的に、隣接する複数のセル間においてそのカバーエリアはオーバラップしている。そのため、端末装置がセル端（セルエッジ）付近に位置している場合、端末装置と所望のＲＲＨとの間で送受信される無線信号と、隣接セルのＲＲＨと端末装置との間で送受信される無線信号とが干渉して無線伝送速度が著しく低下する現象が問題となる。このような問題を解決する手段として、例えば図６に示すように隣接するＲＲＨ同士がセル端近傍に位置する端末装置に対して互いに連携して通信を行うＣｏＭＰ(Coordinated Multi-Point transmission/reception)技術が検討されている（例えば、非特許文献２参照）。【０００４】
図６では、連携するＲＲＨの数が２台であるが、ＲＲＨの数は２台以上であればよい。将来の移動通信システムにおいては、ＲＲＨを高密度に設置し、端末装置がセル端に位置するか否かに関わらず複数の端末装置に対して複数のＲＲＨが常にＣｏＭＰを行うことでシステム容量を向上させることも検討されている。ＣｏＭＰ手法の１つとして、連携する複数のＲＲＨにおける受信信号のうち、最大の受信品質を有する受信信号を選択する選択合成と呼ばれる手法がある（例えば、非特許文献３参照）。ここで、受信品質とは、例えば受信信号電力、又は、受信ＳＮＲ（Signal to Noise Ratio）、あるいは、受信ＳＩＮＲ（Signal to Interference plus Noise Ratio）のことである。この選択合成は、ＭＡＣ−ＰＨＹ  ｓｐｌｉｔの機能分割方式を用いたＢＢＵ及びＲＲＨのＣｏＭＰにも適用することができる。【０００５】
図７は、従来のＭＡＣ−ＰＨＹ  ｓｐｌｉｔにおける上りリンク選択合成の信号伝送を行う無線通信システム１０００のシステム構成例を示す図である。無線通信システム１０００は、端末装置９１、複数のＲＲＨ９２−１〜９２−２及びＢＢＵ９３を備える。ＲＲＨ９２−１及び９２−２は同様の構成を備えるため、ＲＲＨ９２−１を例に説明する。
ＲＲＨ９２−１は、ＲＦ（Radio Frequency）受信部９２１−１と、チャネル推定部９２２−１と、復調部９２３−１と、復号部９２４−１とを備える。ＢＢＵ９３は、選択合成部９３１を備える。【０００６】
ＲＦ受信部９２１−１は、端末装置９１から送信された信号を受信する。ＲＦ受信部９２１−１は、受信した信号のうち、参照信号をチャネル推定部９２２−１へ出力し、データ信号を復調部９２３−１へ出力する。参照信号は、無線伝送路のチャネル情報を抽出するための信号であり、端末装置とＲＲＨとの間において既知の信号を含む信号である。データ信号は、ＢＢＵへ送るべき信号であって信号ビットの系列を含む信号である。【０００７】
チャネル推定部９２２−１は、ＲＦ受信部９２１−１から出力された参照信号に基づいて、無線伝送路のチャネル情報の推定及び受信品質の測定を行う。チャネル推定部９２２−１は、チャネル情報の推定結果及び受信品質の測定結果を復調部９２３−１へ出力する。復調部９２３−１は、チャネル推定部９２２−１から出力されたチャネル情報の推定結果及び受信品質の測定結果を用いて、受信されたデータ信号に対して等化処理及び軟判定復調を行うことによってＬＬＲ（Log Likelihood Ratio；対数尤度比）値（軟判定値）を取得する。復調部９２３−１は、取得したＬＬＲ値（軟判定値）と、受信品質の測定結果（受信品質の情報）とを復号部９２４−１に出力する。【０００８】
復号部９２４−１は、復調部９２３−１から出力されたＬＬＲ値に対して復号処理を行うことでビットデータ(硬判定値)を復元する。なお、この復号処理の過程では、ＣＲＣ（Cyclic Redundancy Check）と呼ばれる誤り検出符号を用いて、復号されたビットデータが誤りを含むか否かの判定が行われている。各ＲＲＨ９２は、復号したビットデータと、チャネル推定部９２２で測定した受信品質の情報（以下「受信品質情報」という。）とをＢＢＵ９３に送信する。【０００９】
ＢＢＵ９３の選択合成部９３１は、各ＲＲＨ９２から送信された受信品質情報を比較し、より高い受信品質を有するＲＲＨ９２のビットデータを選択し、それ以外のＲＲＨ９２から送信されたビットデータを破棄する。
【先行技術文献】
【非特許文献】
【００１０】
【非特許文献１】松永泰彦、「５Ｇに向けた無線アクセスネットワークアーキテクチャの進化」、信学技報、vol. 114、no. 254、RCS2014-172、pp. 89-94、２０１４年１０月
【非特許文献２】田岡秀和、外５名、「LTE-AdvancedにおけるMIMOおよびセル間協調送受信技術」、NTT DOCOMOテクニカル・ジャーナル，Vol. 18, No. 2, pp. 22-30
【非特許文献３】電子情報通信学会「知識ベース」、４群（モバイル・無線）−１編−６章、pp. 1-9、２０１０年１１月
【発明の概要】
【発明が解決しようとする課題】
【００１１】
端末装置がセル端（セルエッジ）に位置するか否かに関わらず複数の端末装置に対して複数のＲＲＨ９２が常にＣｏＭＰを行うような場合、従来のＭＡＣ−ＰＨＹ  ｓｐｌｉｔにおける上りリンク選択合成の手法では、連携する全てのＲＲＨ９２が、復号したビットデータをＢＢＵ９３に伝送する。にもかかわらず、ＢＢＵ９３では、連携する全てのＲＲＨ９２から送信されたビットデータのうち、最大の受信品質を有するビットデータしか選択しない。このように従来のＭＡＣ−ＰＨＹ  ｓｐｌｉｔにおける上りリンク選択合成の手法では、複数のＲＲＨとＢＢＵの間における合計の伝送容量が不必要に大きくなってしまうという問題があった。【００１２】
上記事情に鑑み、本発明は、複数のＲＲＨとＢＢＵとの間の合計の伝送容量を削減することができる技術の提供を目的としている。
【課題を解決するための手段】
【００１３】
本発明の一態様は、基地局として機能する無線装置と信号処理装置とを備える無線通信システムであって、前記無線装置は、端末装置から送信された無線信号に基づいて、前記無線装置と前記端末装置との間における無線伝送路のチャネル情報を推定するチャネル推定部と、前記チャネル推定部により推定された前記チャネル情報に基づいて、前記無線信号に対して軟判定復調を行う復調部と、前記軟判定復調により得られた対数尤度比を復号し、前記復号により得られる誤り検出符号の結果を出力する復号部と、前記誤り検出符号の結果に基づいて、前記復号により得られるデータの前記信号処理装置への送信を制御する送信制御部と、
を備える無線通信システムである。【００１４】
上記の無線通信システムにおいて、前記送信制御部は、前記誤り検出符号の結果が誤りありを示す場合、前記データを前記信号処理装置に送信せずに破棄し、前記誤り検出符号の結果が誤りなしを示す場合、前記データを前記信号処理装置に送信してもよい。【００１５】
上記の無線通信システムにおいて、前記信号処理装置は、前記無線装置から送信された前記データを受信し、受信した前記データの数が１つである場合には前記データを選択し、受信した前記データの数が複数である場合には所定の条件に従って複数のデータの中から１つのデータを選択する選択合成部を備えてもよい。【００１６】
上記の無線通信システムにおいて、前記送信制御部は、前記誤り検出符号の結果が誤りありを示す場合、前記データを前記信号処理装置に送信せずに破棄するとともに、前記信号処理装置に対して前記データを送信しないことを前記信号処理装置に通知してもよい。【００１７】
上記の無線通信システムにおいて、前記選択合成部は、受信した前記データの数が複数である場合、最も早く受信したデータを選択し、その他のデータを破棄してもよい。【００１８】
本発明の一態様は、基地局として機能する無線装置と信号処理装置とを備える無線通信システムにおける無線通信方法であって、前記無線装置が、端末装置から送信された無線信号に基づいて、前記無線装置と前記端末装置との間における無線伝送路のチャネル情報を推定するチャネル推定ステップと、前記無線装置が、前記チャネル推定ステップにおいて推定された前記チャネル情報に基づいて、前記無線信号に対して軟判定復調を行う復調ステップと、前記無線装置が、前記軟判定復調により得られた対数尤度比を復号し、前記復号により得られる誤り検出符号の結果を出力する復号ステップと、前記無線装置が、前記誤り検出符号の結果に基づいて、前記復号により得られるデータの前記信号処理装置への送信を制御する送信制御ステップと、を有する無線通信方法である。
【発明の効果】
【００１９】
本発明により、複数のＲＲＨとＢＢＵとの間の合計の伝送容量を削減することが可能となる。
【図面の簡単な説明】
【００２０】
【図１】第１の実施形態における無線通信システム１００のシステム構成を表す構成図である。
【図２】第１の実施形態における無線通信システム１００のシステム構成を表す構成図である。
【図３】第２の実施形態における無線通信システム１００ａのシステム構成を表す構成図である。
【図４】第５の実施形態における無線通信システム１００ｂのシステム構成を表す構成図である。
【図５】ＭＡＣ−ＰＨＹ  ｓｐｌｉｔの機能分割方式の一例を示す図である。
【図６】ＣｏＭＰ技術を用いたシステム構成を示す図である。
【図７】従来のＭＡＣ−ＰＨＹ  ｓｐｌｉｔにおける上りリンク選択合成の信号伝送を行う無線通信システムのシステム構成例を示す図である。
【発明を実施するための形態】
【００２１】
以下、本発明の実施形態を、図面を参照しながら説明する。
（第１の実施形態）
図１は、第１の実施形態における無線通信システム１００のシステム構成を表す構成図である。無線通信システム１００は、端末装置１０、複数のＲＲＨ（無線装置）２０−１〜２０−２及びＢＢＵ（信号処理装置）３０を備える。なお、以下の説明では、ＲＲＨ２０−１〜２０−２を特に区別しない場合にはＲＲＨ２０と記載する。ＲＲＨ２０及びＢＢＵ３０は、基地局として機能する。各ＲＲＨ２０−１〜２０−２とＢＢＵ３０とは、有線（例えば光ファイバ又は同軸線）にて通信可能に接続されている。ＲＲＨ２０−１及び２０−２は同様の構成を備えるため、ＲＲＨ２０−１を例に説明する。
【００２２】
ＲＲＨ２０−１は、ＲＦ受信部２０１−１と、チャネル推定部２０２−１と、復調部２０３−１と、復号部２０４−１と、送信制御部２０５−１とを備える。
ＲＦ受信部２０１−１は、端末装置１０から送信された信号（無線信号）を受信する。ＲＦ受信部２０１−１は、受信した信号のうち、参照信号をチャネル推定部２０２−１へ出力し、データ信号を復調部２０３−１へ出力する。
【００２３】
チャネル推定部２０２−１は、ＲＦ受信部２０１−１から出力された参照信号を入力とする。チャネル推定部２０２−１は、入力した参照信号に基づいて、無線伝送路のチャネル情報の推定及び受信品質の測定を行う。チャネル推定部２０２−１は、チャネル情報の推定結果及び受信品質の測定結果を復調部２０３−１へ出力する。
復調部２０３−１は、ＲＦ受信部２０１−１から出力されたデータ信号と、チャネル推定部２０２−１から出力されたチャネル情報の推定結果及び受信品質の測定結果とを入力とする。復調部２０３−１は、入力したチャネル情報の推定結果及び受信品質の測定結果を用いて、入力したデータ信号に対して等化処理及び軟判定復調を行うことによってＬＬＲ値（軟判定値）を取得する。復調部２０３−１は、取得したＬＬＲ値（軟判定値）と、受信品質の測定結果とを復号部２０４−１に出力する。
【００２４】
復号部２０４−１は、復調部２０３−１から出力されたＬＬＲ値（軟判定値）と、受信品質の測定結果とを入力とする。復号部２０４−１は、入力したＬＬＲ値に対して復号処理を行うことによってビットデータを復元する。なお、復号部２０４−１による復号処理の過程では、ＣＲＣと呼ばれる誤り検出符号を用いて、復号されたビットデータが誤りを含むか否かの判定も行う。復号部２０４−１は、復元したビットデータが誤りを含むか否かを示すＣＲＣ結果と、復元したビットデータと、受信品質の測定結果とを送信制御部２０５−１に出力する。
【００２５】
送信制御部２０５−１は、復号部２０４−１から出力されたＣＲＣ結果と、復元したビットデータと、受信品質の測定結果とを入力とする。送信制御部２０５−１は、入力したＣＲＣ結果に応じて、ビットデータの送信を制御する。具体的には、送信制御部２０５−１は、ＣＲＣ結果が誤りなしを示している場合、ビットデータと、受信品質の測定結果とをＢＢＵ３０に送信する。一方、送信制御部２０５−１は、ＣＲＣ結果が誤りありを示している場合、ビットデータと、受信品質の測定結果とを破棄する。
【００２６】
図１に示すように、ＲＲＨ２０−１の復号部２０４−１がＣＲＣ結果として誤りなしを送信制御部２０５−１に出力し、ＲＲＨ２０−２の復号部２０４−２がＣＲＣ結果として誤りありを送信制御部２０５−２に出力した場合、ＲＲＨ２０−１の送信制御部２０５−１は復号部２０４−１から出力されたビットデータと、受信品質の測定結果をＢＢＵ３０に送信し、ＲＲＨ２０−２の送信制御部２０５−２は復号部２０４−２から出力されたビットデータと、受信品質の測定結果を破棄する。
【００２７】
また、図２に示すように、ＲＲＨ２０−１の復号部２０４−１がＣＲＣ結果として誤りなしを送信制御部２０５−１に出力し、ＲＲＨ２０−２の復号部２０４−２がＣＲＣ結果として誤りなしを送信制御部２０５−２に出力した場合、ＲＲＨ２０−１の送信制御部２０５−１は復号部２０４−１から出力されたビットデータと、受信品質の測定結果をＢＢＵ３０に送信し、ＲＲＨ２０−２の送信制御部２０５−２は復号部２０４−２から出力されたビットデータと、受信品質の測定結果をＢＢＵ３０に送信する。
【００２８】
ＢＢＵ３０は、選択合成部３０１を備える。選択合成部３０１は、ＲＲＨ２０から送信されたビットデータと、受信品質の測定結果とを受信する。選択合成部３０１は、受信したビットデータの中から１つのビットデータを選択する。具体的には、選択合成部３０１は、受信したビットデータの数が１つであった場合（図１の場合）、受信したビットデータを選択する。一方、選択合成部３０１は、受信したビットデータの数が複数であった場合（図２の場合）、所定の条件に従って複数のビットデータの中から１つのビットデータを選択する。例えば、選択合成部３０１は、受信したビットデータの中から任意のビットデータを１つ選択し、その他のビットデータを破棄する。ここで、任意のビットデータを１つ選択する方法としては、選択合成部３０１は、例えば受信品質の測定結果（受信品質情報）を比較し、より高い受信品質を有するビットデータを選択してもよい。
【００２９】
以上のように構成された無線通信システム１００によれば、ＲＲＨ２０においてビットデータに誤りがあるか否かに応じて、ＢＢＵ３０にビットデータを送信するか否かの判定が行われる。そして、誤りがないビットデータのみがＲＲＨ２０からＢＢＵ３０に送信される。したがって、不必要なビットデータがＢＢＵ３０に送信されない。そのため、複数のＲＲＨ２０と、ＢＢＵ３０との間の合計の伝送容量を削減することが可能になる。
【００３０】
（第２の実施形態）
図３は、第２の実施形態における無線通信システム１００ａのシステム構成を表す構成図である。無線通信システム１００ａは、端末装置１０、複数のＲＲＨ２０ａ−１〜２０ａ−２及びＢＢＵ３０ａを備える。なお、以下の説明では、ＲＲＨ２０ａ−１〜２０ａ−２を特に区別しない場合にはＲＲＨ２０ａと記載する。ＲＲＨ２０ａ及びＢＢＵ３０ａは、基地局として機能する。各ＲＲＨ２０ａ−１〜２０ａ−２とＢＢＵ３０ａとは、有線（例えば光ファイバ又は同軸線）にて通信可能に接続されている。ＲＲＨ２０ａ−１及び２０ａ−２は同様の構成を備えるため、ＲＲＨ２０ａ−１を例に説明する。
【００３１】
ＲＲＨ２０ａ−１は、ＲＦ受信部２０１−１と、チャネル推定部２０２−１と、復調部２０３−１と、復号部２０４−１と、送信制御部２０５ａ−１とを備える。
ＲＲＨ２０ａ−１は、送信制御部２０５−１に代えて送信制御部２０５ａ−１を備える点でＲＲＨ２０−１と構成が異なる。ＲＲＨ２０ａ−１の他の構成はＲＲＨ２０−１と同様である。そのため、ＲＲＨ２０ａ−１全体の説明は省略し、送信制御部２０５ａ−１について説明する。
【００３２】
送信制御部２０５ａ−１は、復号部２０４−１から出力されたＣＲＣ結果と、復元したビットデータと、受信品質の測定結果とを入力とする。送信制御部２０５ａ−１は、入力したＣＲＣ結果に応じて、ビットデータの送信を制御する。具体的には、送信制御部２０５ａ−１は、ＣＲＣ結果が誤りなしを示している場合、ビットデータと、受信品質の測定結果とをＢＢＵ３０ａに送信する。一方、送信制御部２０５ａ−１は、ＣＲＣ結果が誤りありを示している場合、ビットデータと、受信品質の測定結果とを破棄するとともに、ビットデータと受信品質の測定結果とを送信しないことを示す通知メッセージを生成し、生成した通知メッセージをＢＢＵ３０ａに送信する。
【００３３】
図３に示すように、ＲＲＨ２０ａ−１の復号部２０４−１がＣＲＣ結果として誤りなしを送信制御部２０５ａ−１に出力し、ＲＲＨ２０ａ−２の復号部２０４−２がＣＲＣ結果として誤りありを送信制御部２０５ａ−２に出力した場合、ＲＲＨ２０ａ−１の送信制御部２０５ａ−１は復号部２０４−１から出力されたビットデータと、受信品質の測定結果をＢＢＵ３０ａに送信し、ＲＲＨ２０ａ−２の送信制御部２０５ａ−２は復号部２０４−２から出力されたビットデータと、受信品質の測定結果を破棄するとともに、通知メッセージを生成し、生成した通知メッセージをＢＢＵ３０ａに送信する。
【００３４】
ＢＢＵ３０ａは、選択合成部３０１ａを備える。選択合成部３０１ａは、ＲＲＨ２０ａから送信されたビットデータと、受信品質の測定結果とを受信する。選択合成部３０１ａは、ＲＲＨ２０ａから送信されたビットデータを受信し、受信したビットデータの中から１つのビットデータを選択する。具体的には、選択合成部３０１ａは、受信したビットデータの数が１つであった場合、受信したビットデータを選択する。一方、選択合成部３０１ａは、受信したビットデータの数が複数であった場合、受信したビットデータの中から任意のビットデータを１つ選択し、その他のビットデータを破棄する。また、選択合成部３０１ａは、ＲＲＨ２０ａから送信された通知メッセージを受信する。
【００３５】
以上のように構成された無線通信システム１００ａによれば、第１の実施形態と同様の効果を得ることができる。
また、無線通信システム１００ａによれば、ビットデータに誤りがあると判定したＲＲＨ２０ａがビットデータと受信品質の測定結果とを送信しないことを示す通知メッセージをＢＢＵ３０ａに送信する。これにより、ＢＢＵ３０ａでは、連携するＲＲＨ２０ａ全てから情報を受信できたか否かを把握することができ、受信待ちに要する時間を削減することができる。
【００３６】
（第３の実施形態）
第１の実施形態では、選択合成部３０１が複数のビットデータを受信した場合、受信した複数のビットデータの中から任意（例えば、受信品質情報に基づいて）に１つのビットデータを選択する構成を示した。第３の実施形態では、選択合成部３０１が複数のビットデータを受信した場合、複数のビットデータのうち、最も早く受信したビットデータを選択し、その他のビットデータを破棄する。第３の実施形態において、その他の構成については、第１の実施形態と同様である。
【００３７】
以上のように構成された第３の実施形態における無線通信システム１００によれば、第１の実施形態と同様の効果を得ることができる。
【００３８】
（第４の実施形態）
第２の実施形態では、選択合成部３０１ａが複数のビットデータを受信した場合、受信した複数のビットデータの中から任意（例えば、受信品質情報に基づいて）に１つのビットデータを選択する構成を示した。第４の実施形態では、選択合成部３０１ａが複数のビットデータを受信した場合、複数のビットデータのうち、最も早く受信したビットデータを選択し、その他のビットデータを破棄する。第４の実施形態において、その他の構成については、第２の実施形態と同様である。
【００３９】
以上のように構成された第４の実施形態における無線通信システム１００ａによれば、第２の実施形態と同様の効果を得ることができる。
【００４０】
（第５の実施形態）
図４は、第５の実施形態における無線通信システム１００ｂのシステム構成を表す構成図である。無線通信システム１００ｂは、端末装置１０ｂ、複数のＲＲＨ２０ｂ−１〜２０ｂ−２及びＢＢＵ３０を備える。
第５の実施形態では、端末装置１０ｂ及びＲＲＨ２０ｂが複数のアンテナを備え、端末装置１０ｂとＲＲＨ２０ｂとの間でＭＩＭＯ（Multiple-Input Multiple-Output）伝送を行う。このように無線通信システム１００ｂが構成される場合、ＲＲＨ２０ｂ−１は、複数のＲＦ受信部２０１−１−１〜２０１−１−ｎ（ｎは２以上の整数）と、チャネル推定部２０２ｂ−１と、復調部２０３−１と、復号部２０４−１と、送信制御部２０５−１とを備える。
【００４１】
複数のＲＦ受信部２０１−１−１〜２０１−１−ｎはそれぞれ、１つのチャネル推定部２０２ｂ−１に接続される。チャネル推定部２０２ｂ−１は、ＲＦ受信部２０１−１−１〜２０１−１−ｎそれぞれで受信された信号に対して、無線伝送路のチャネル情報の推定及び受信品質の測定を行う。なお、チャネル推定部２０２ｂ−１は、受信品質の測定結果の合計値を算出して、算出した受信品質の測定結果の合計値を復調部２０３−１に出力してもよいし、受信品質の測定結果の平均値を復調部２０３−１に出力してもよい。復調部２０３−１、復号部２０４−１及び送信制御部２０５−１の動作は第１の実施形態における同名の機能部と同様である。
【００４２】
以上のように構成された無線通信システム１００ｂによれば、第１の実施形態と同様の効果を得ることができる。
また、無線通信システム１００ｂによれば、ＭＩＭＯ伝送においても、ＲＲＨ２０ｂとＢＢＵ３０との間の伝送容量を削減することが可能になる。
【００４３】
（第６の実施形態）
第６の実施形態では、第２の実施形態における端末装置１０及びＲＲＨ２０ａが複数のアンテナを備え、端末装置１０とＲＲＨ２０ａとの間でＭＩＭＯ伝送を行う。このように無線通信システム１００ａが構成される場合、ＲＲＨ２０ａは、複数のＲＦ受信部２０１を備える点で第２の実施形態におけるＲＲＨ２０ａと構成が異なる。その他の構成については第２の実施形態におけるＲＲＨ２０ａと同様である。また、端末装置１０及びＢＢＵ３０ａは第２の実施形態における端末装置１０及びＢＢＵ３０ａと同様の処理を行う。
【００４４】
以上のように構成された第６の実施形態における無線通信システム１００ａによれば、第２の実施形態と同様の効果を得ることができる。
また、第６の実施形態における無線通信システム１００ａによれば、ＭＩＭＯ伝送においても、ＲＲＨ２０ａとＢＢＵ３０との間の伝送容量を削減することが可能になる。
【００４５】
（第７の実施形態）
第７の実施形態では、第３の実施形態における端末装置１０及びＲＲＨ２０が複数のアンテナを備え、端末装置１０とＲＲＨ２０との間でＭＩＭＯ伝送を行う。このように無線通信システム１００が構成される場合、ＲＲＨ２０は、複数のＲＦ受信部２０１を備える点で第３の実施形態におけるＲＲＨ２０と構成が異なる。その他の構成については第３の実施形態におけるＲＲＨ２０と同様である。また、端末装置１０及びＢＢＵ３０は第３の実施形態における端末装置１０及びＢＢＵ３０と同様の処理を行う。
【００４６】
以上のように構成された第７の実施形態における無線通信システム１００によれば、第３の実施形態と同様の効果を得ることができる。
また、第７の実施形態における無線通信システム１００によれば、ＭＩＭＯ伝送においても、ＲＲＨ２０とＢＢＵ３０との間の伝送容量を削減することが可能になる。
【００４７】
（第８の実施形態）
第８の実施形態では、第４の実施形態における端末装置１０及びＲＲＨ２０ａが複数のアンテナを備え、端末装置１０とＲＲＨ２０ａとの間でＭＩＭＯ伝送を行う。このように無線通信システム１００ａが構成される場合、ＲＲＨ２０ａは、複数のＲＦ受信部２０１を備える点で第４の実施形態におけるＲＲＨ２０ａと構成が異なる。その他の構成については第４の実施形態におけるＲＲＨ２０ａと同様である。また、端末装置１０及びＢＢＵ３０ａは第４の実施形態における端末装置１０及びＢＢＵ３０ａと同様の処理を行う。
【００４８】
以上のように構成された第８の実施形態における無線通信システム１００ａによれば、第４の実施形態と同様の効果を得ることができる。
また、第８の実施形態における無線通信システム１００ａによれば、ＭＩＭＯ伝送においても、ＲＲＨ２０ａとＢＢＵ３０ａとの間の伝送容量を削減することが可能になる。
【００４９】
以下、各実施形態に共通する変形例について説明する。ここでは、第１の実施形態におけるＲＲＨ２０及びＢＢＵ３０を例に説明するが、ＲＲＨ２０をＲＲＨ２０ａ又はＲＲＨ２０ｂに置き換え、ＢＢＵ３０をＢＢＵ３０ａに置き換えてもよい。
上記の各実施形態において、端末装置１０の数は複数台であってもよい。また、ＲＲＨ２０の数は３台以上であってもよい。
ＲＲＨ２０と、ＢＢＵ３０との間は、Ｐｏｉｎｔ−ｔｏ−Ｐｏｉｎｔ接続に限定する必要はなく、ネットワーク化されていてもよい。
ＢＢＵ３０は、いずれかのＲＲＨ２０から受信した信号（例えば、ビットデータ及び受信品質情報、又は、通知メッセージ）を誤りなく受信できた場合に、連携する全てのＲＲＨ２０に対して受信が完了したことを通知するメッセージを送信するように構成されてもよい。
【００５０】
前述した実施形態におけるＲＲＨ２０、ＲＲＨ２０ａ、ＲＲＨ２０ｂ、ＢＢＵ３０及びＢＢＵ３０ａの全て又は一部をコンピュータで実現するようにしてもよい。例えば、ＲＲＨ、ＢＢＵが有する構成要素それぞれを実現するためのプログラムをコンピュータ読み取り可能な記録媒体に記録して、この記録媒体に記録されたプログラムをコンピュータシステムに読み込ませ、実行することによって、ＲＲＨ、ＢＢＵを実現してもよい。なお、ここでいう「コンピュータシステム」とは、ＯＳ（Operating System）や周辺機器等のハードウェアを含むものとする。また、「コンピュータ読み取り可能な記録媒体」とは、フレキシブルディスク、光磁気ディスク、ＲＯＭ（Read Only Memory）、ＣＤ（Compact Disc）−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また、このプログラムは、前述した構成要素の一部を実現するためのものであってもよく、更に前述した構成要素をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００５１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００５２】
本発明は、例えば、無線通信に利用可能である。本発明によれば、複数のＲＲＨとＢＢＵとの間の合成の伝送容量を削減することが可能となる。
【符号の説明】
【００５３】
１０、１０ｂ、９１…端末装置
２０、２０−１、２０−２、２０ａ、２０ａ−１、２０ａ−２、２０ｂ、２０ｂ−１、２０ｂ−２、９２−１、９２−２…ＲＲＨ
３０、３０ａ、９３…ＢＢＵ
２０１−１、２０１−２、２０１−１−１〜２０１−１−ｎ、２０１−２−１〜２０１−２−ｎ、９２１−１、９２１−２…ＲＦ受信部
２０２−１、２０２−２、２０２ｂ−１、２０２ｂ−２、９２２−１、９２２−２…チャネル推定部
２０３−１、２０３−２、９２３−１、９２３−２…復調部
２０４−１、２０４−２、９２４−１、９２４−２…復号部
２０５−１、２０５−２、２０５ａ−１、２０５ａ−２…送信制御部
３０１、３０１ａ…選択合成部
【図１】
0006686170.tif 000002
【図２】
0006686170.tif 000003
【図３】
0006686170.tif 000004
【図４】
0006686170.tif 000005
【図５】
0006686170.tif 000006
【図６】
0006686170.tif 000007
【図７】
0006686170.tif 000008